(57)【要約】【課題】契約書を取り交わすことが一般的でない分野においても容易に契約内容を想像でき、容易に契約書を作成し、かつ、契約当事者の所望の条件を最大限反映させ、契約当事者間の公平を確保する。【解決手段】受付部２０１は、所定種類の契約をする際の所定条件を受付ける。第１送信制御部２０２は、前記所定条件をサーバ１に送信する。管理部３０１は、前記所定種類の契約のサンプルデータを、全通りの夫々について管理する。取得部３０２は、ユーザ端末２からの前記所定条件を取得する。生成部３０３は、取得された前記所定条件に対応する前記所定種類の契約のサンプルデータを生成する。第２送信制御部３０４は、前記所定種類の契約のサンプルデータをユーザ端末２に送信する。受信制御部２０３は、サーバ１から送信された前記所定種類の契約のサンプルデータを受信する。保持制御部２０４は、前記所定種類の契約のサンプルデータを保持する。【選択図】図３
2018022481.tif 000002
【特許請求の範囲】
【請求項１】
所定種類の契約を取り交わす第１ユーザと第２ユーザとのうち、少なくとも一方が保有するユーザ端末と、
前記ユーザ端末と通信をするサーバと、
を含む情報処理システムであって、
前記ユーザ端末は、
前記第１ユーザと前記第２ユーザのうち少なくとも一方の操作に基づいて、前記所定種類の契約をする際の所定条件を受付ける受付手段と、
１種類以上の前記所定条件を前記サーバに送信する制御を実行する第１送信制御手段と、
を備え、
前記サーバは、
ｎ種類（ｎは１以上の整数値）の条件のうちのｍ種類（ｍはｎ以下の整数値）の条件に対応する前記所定種類の契約のサンプルデータ又は当該サンプルデータを作成するために必要なデータを、全通りの夫々について管理する管理手段と、
前記ユーザ端末からの前記１種類以上の所定条件を取得する取得手段と、
前記管理手段の管理内容に基づいて、取得された前記１種類以上の所定条件に対応する、前記所定種類の契約のサンプルデータを生成する生成手段と、
前記所定種類の契約のサンプルデータを前記ユーザ端末に送信する制御を実行する第２送信制御手段と、
を備え、
前記ユーザ端末は、さらに、
前記サーバから送信された前記所定種類の契約のサンプルデータを受信する制御を実行する受信制御手段と、
前記所定種類の契約のサンプルデータを保持する制御を実行する保持制御手段と、
を備える情報処理システム。
【請求項２】
前記ユーザ端末の受付手段は、
前記ｎ種類の条件のうち所定条件を特定可能な特定情報を入力する操作に対して、
当該所定条件として、前記特定情報を受付け、
前記サーバは、
前記特定情報に基づいて、前記ｎ種類の条件のうち前記所定条件を認識する認識手段をさらに備える、
請求項１に記載の情報処理システム。
【発明の詳細な説明】
【技術分野】
【０００１】
本発明は、情報処理システムに関する。
【背景技術】
【０００２】
従来より、契約書を自動で作成する装置は存在する（例えば特許文献１参照）。
【先行技術文献】
【特許文献】
【０００３】
【特許文献１】特許第４３２４３６９号公報
【発明の概要】
【発明が解決しようとする課題】
【０００４】
しかしながら、特許文献１に記載の技術を含め従来の技術は、ビジネス上多数取り交わされる契約書を効率良く作成するためにはどうするかという課題を解決することが前提としてある。
また、契約書を取り交わすことが一般的でない分野や、契約当事者に契約に慣れていない人が含まれる場合には、契約内容がどのような内容になるのかを想像することが難しく、また契約当事者のうち契約書のドラフトを先に作成した側に有利な契約内容となる事も多い。さらに、契約書の内容の摺り合わせのために当事者間で何度もやり取りを行うことは時間的なコストとなる。
このため、そもそも契約書を取り交わすことが一般的でない分野においても、契約に慣れていない人でも容易に契約内容を想像でき、容易に契約書を作成することができ、かつ、当該契約書には契約当事者の所望の条件を最大限反映させ、契約当事者間の公平を確保できる方法が求められている。
【０００５】
本発明は、このような状況に鑑みてなされたものであり、契約書を取り交わすことが一般的でない分野においても、契約に慣れていない人でも容易に契約内容を想像でき、容易に契約書を作成することができ、かつ、当該契約書には契約当事者の所望の条件を最大限反映させ、契約当事者間の公平を確保できるシステムを提供することを目的とする。
【課題を解決するための手段】
【０００６】
上記目的を達成するため、本発明の一態様の情報処理システムは、
所定種類の契約を取り交わす第１ユーザと第２ユーザとのうち、少なくとも一方が保有するユーザ端末と、
前記ユーザ端末と通信をするサーバと、
を含む情報処理システムであって、
前記ユーザ端末は、
前記第１ユーザと前記第２ユーザのうち少なくとも一方の操作に基づいて、前記所定種類の契約をする際の所定条件を受付ける受付手段と、
１種類以上の前記所定条件を前記サーバに送信する制御を実行する第１送信制御手段と、
を備え、
前記サーバは、
ｎ種類（ｎは１以上の整数値）の条件のうちのｍ種類（ｍはｎ以下の整数値）の条件に対応する前記所定種類の契約のサンプルデータ又は当該サンプルデータを作成するために必要なデータを、全通りの夫々について管理する管理手段と、
前記ユーザ端末からの前記１種類以上の所定条件を取得する取得手段と、
前記管理手段の管理内容に基づいて、取得された前記１種類以上の所定条件に対応する、前記所定種類の契約のサンプルデータを生成する生成手段と、
前記所定種類の契約のサンプルデータを前記端末に送信する制御を実行する第２送信制御手段と、
を備え、
前記ユーザ端末は、さらに、
前記サーバから送信された前記所定種類の契約のサンプルデータを受信する制御を実行する受信制御手段と、
前記所定種類の契約のサンプルデータを保持する制御を実行する保持制御手段と、
を備える。
【０００７】
また、前記ユーザ端末の前記受付手段は、
前記ｎ種類の条件のうち所定条件を特定可能な特定情報を入力する操作に対して、
当該所定条件として、前記特定情報を受付け、
前記サーバは、
前記特定情報に基づいて、前記ｎ種類の条件のうち前記所定条件を認識する認識手段をさらに備えることができる。
【発明の効果】
【０００８】
本発明によれば、契約書の取り交わしが一般的でない分野においても、契約に慣れていない人でも容易に契約内容を想像でき、容易に契約書を作成することができ、かつ、当該契約書には契約当事者の所望の条件を最大限反映させ、契約当事者間の公平を確保することができる。
【図面の簡単な説明】
【０００９】
【図１】本発明の一実施形態に係る情報処理システム全体の構成図である。
【図２】図１の情報処理システムのうちサーバのハードウェア構成を示すブロック図である。
【図３】図１の情報処理システムのうちサーバ及びユーザ端末の機能的構成の一例を示す機能ブロック図である。
【図４】図１の情報処理システムにより実現される各種サービスのうち、婚前契約書自動作成サービスの概要を示すイメージ図である。
【発明を実施するための形態】
【００１０】
以下、本発明の実施形態について図面を用いて説明する。
図１は、本発明の一実施形態に係る情報処理システムＳ全体の構成図である。
【００１１】
図１に示す情報処理システムＳは、サーバ１と、第１ユーザ端末２Ｍと、第２ユーザ端末２Ｆとを含むように構成されている。
サーバ１と第１ユーザ端末２Ｍと、第２ユーザ端末２Ｆとは、インターネット等の所定のネットワークＮを介して各種情報を送受信する。
【００１２】
サーバ１は、第１ユーザ端末２Ｍ及び第２ユーザ端末２Ｆの各動作を管理すべく、各種処理を実行する。
第１ユーザ端末２Ｍは、第１ユーザＵＭ（男性）が操作する情報処理装置であって、例えば本実施形態では、スマートフォンで構成される。
第２ユーザ端末２Ｆは、第２ユーザＵＦ（女性）が操作する情報処理装置であって、例えば本実施形態では、スマートフォンで構成される。
なお、以下、第１ユーザＵＭ及び第２ユーザＵＦを個々に区別する必要がない場合、これらをまとめて「ユーザＵ」と呼ぶ。また、ユーザＵと呼んでいる場合には、第１ユーザ端末２Ｍ及び第２ユーザ端末２Ｆをまとめて「ユーザ端末２」と呼ぶ。
【００１３】
ここで、第１ユーザＵＭ及び第２ユーザＵＦは、説明の便宜上図１には１人ずつしか描画されていないが、実際には複数人の場合がある。第１ユーザＵＭ又は第２ユーザＵＦが複数人となる場合には、複数の第１ユーザＵＭ又は複数の第２ユーザＵＦの夫々が操作すべく、第１ユーザ端末２Ｍや第２ユーザ端末２Ｆもまた複数台になり得る。
【００１４】
このような情報処理システムＳは、例えば本実施形態では、次のような動作（処理）を実行する。
即ち、本実施形態における情報処理システムＳは、所定種類の契約（本実施形態では婚前契約）を取り交わす第１ユーザＵＭと第２ユーザＵＦとのうち、少なくとも一方が保有するユーザ端末２（第１ユーザ端末２Ｍ又は第２ユーザ端末２Ｆ）と、ユーザ端末２と通信をするサーバ１とを含む。
【００１５】
ユーザ端末２は、第１ユーザＵＭと第２ユーザＵＦとのうち少なくとも一方の操作に基づいて、婚前契約を取り交わす際の所定条件を受付ける受付部２０１（図３参照）と、１種類以上の所定条件をサーバ１に送信する制御を実行する第１送信制御部２０２（図３参照）とを備える。
サーバ１は、ｎ種類（ｎは１以上の整数値）の条件のうちのｍ種類（ｍはｎ以下の整数値）の条件に対応する婚前契約書のサンプルデータ又は当該サンプルデータを作成するために必要なデータを、全通りの夫々について管理する管理部３０１（図３参照）と、ユーザ端末２からの１種類以上の所定条件を取得する取得部３０２（図３参照）と、管理手段の管理内容に基づいて、取得された前記１種類以上の所定条件に対応する、婚前契約書のサンプルデータを生成する生成部３０３（図３参照）と、婚前契約書のサンプルデータをユーザ端末２に送信する制御を実行する第２送信制御部３０４（図３参照）とを備える。
また、ユーザ端末２は、さらに、サーバ１から送信された婚前契約書のサンプルデータを受信する制御を実行する受信制御部２０３（図３参照）と、婚前契約書のサンプルデータを保持する制御を実行する保持制御部２０４（図３参照）とを備える。
これにより、契約書の取り交わしが一般的でないにおいても、契約に慣れていない人でも容易に契約内容を想像でき、容易に契約書を作成することができ、かつ、当該契約書には契約当事者の所望の条件を最大限反映させ、契約当事者間の公平を確保することができる。
なお、図１の情報処理システムＳのうちサーバ１及びユーザ端末２の機能的構成の詳細については、図３を参照して後述する。
また、本発明の一実施形態に係る情報処理システムＳ全体の構成図における他の特徴としては、図１に示すとおりである。
【００１６】
図２は、図１の情報処理システムＳのうちサーバ１のハードウェア構成を示すブロック図である。
【００１７】
サーバ１は、ＣＰＵ（Ｃｅｎｔｒａｌ  Ｐｒｏｃｅｓｓｉｎｇ  Ｕｎｉｔ）１０１と、ＲＯＭ（Ｒｅａｄ  Ｏｎｌｙ  Ｍｅｍｏｒｙ）１０２と、ＲＡＭ（Ｒａｎｄｏｍ  Ａｃｃｅｓｓ  Ｍｅｍｏｒｙ）１０３と、バス１０４と、入出力インターフェース１０５と、出力部１０６と、入力部１０７と、記憶部１０８と、通信部１０９と、ドライブ１１０と、を備えている。
【００１８】
ＣＰＵ１０１は、ＲＯＭ１０２に記録されているプログラム、又は、記憶部１０８からＲＡＭ１０３にロードされたプログラムに従って各種の処理を実行する。
ＲＡＭ１０３には、ＣＰＵ１０１が各種の処理を実行する上において必要なデータ等も適宜記憶される。
【００１９】
ＣＰＵ１０１、ＲＯＭ１０２及びＲＡＭ１０３は、バス１０４を介して相互に接続されている。このバス１０４にはまた、入出力インターフェース１０５も接続されている。入出力インターフェース１０５には、出力部１０６、入力部１０７、記憶部１０８、通信部１０９及びドライブ１１０が接続されている。
【００２０】
出力部１０６は、ディスプレイやスピーカ等で構成され、各種情報を画像や音声として出力する。
入力部１０７は、キーボードやマウス等で構成され、各種情報を入力する。
【００２１】
記憶部１０８は、ハードディスクやＤＲＡＭ（Ｄｙｎａｍｉｃ  Ｒａｎｄｏｍ  Ａｃｃｅｓｓ  Ｍｅｍｏｒｙ）等で構成され、各種データを記憶する。
通信部１０９は、インターネットを含むネットワークＮを介して他の装置（図１の例ではユーザ端末２Ｍ及びユーザ端末２Ｆ）との間で通信を行う。
【００２２】
ドライブ１１０には、磁気ディスク、光ディスク、光磁気ディスク、或いは半導体メモリ等よりなる、リムーバブルメディア１２０が適宜装着される。ドライブ１１０によってリムーバブルメディア１２０から読み出されたプログラムは、必要に応じて記憶部１０８にインストールされる。
また、リムーバブルメディア１２０は、記憶部１０８に記憶されている各種データも、記憶部１０８と同様に記憶することができる。
【００２３】
また、図示はしないが、図１の情報処理システムＳの第１ユーザ端末２Ｍ及び第２ユーザ端末２Ｆも、図２に示すハードウェア構成と基本的に同様の構成を有している。
なお、図１の情報処理システムＳのうちサーバ１のハードウェア構成を示すブロック図における他の特徴としては、図２に示すとおりである。
【００２４】
図３は、図１の情報処理システムＳのうちサーバ１及びユーザ端末２の機能的構成の一例を示す機能ブロック図である。
図３に示すように、ユーザ端末２においては、受付部２０１と、第１送信制御部２０２と、受信制御部２０３と、保持制御部２０４とが機能する。
サーバ１のＣＰＵ１０１においては、管理部３０１と、取得部３０２と、生成部３０３と、第２送信制御部３０４とが機能する。
記憶部１０８の一領域には、サンプルデータＤＢ４０１が設けられている。
【００２５】
まず、ユーザ端末２において、受付部２０１は、第１ユーザＵＭと第２ユーザＵＦのうち少なくとも一方の操作に基づいて、婚前契約を取り交わす際の所定条件を受付ける。具体的には、第１ユーザ端末２Ｍは、第１ユーザＵＭにおける、婚前契約を取り交わす際の所望の条件としての第１ユーザ側所定条件Ａを受付ける。また、第２ユーザ端末２Ｆは、第２ユーザＵＦにおける、婚前契約を取り交わす際の所望の条件としての第２ユーザ側所定条件Ｂを受付ける。
第１送信制御部２０２は、１種類以上の、婚前契約を取り交わす際の所定条件を、サーバ１に送信する制御を実行する。具体的には、第１ユーザ端末２Ｍは、第１ユーザ側所定条件Ａをサーバ１に送信する制御を実行する。また、第２ユーザ端末２Ｆは、第２ユーザ側所定条件Ｂをサーバ１に送信する制御を実行する。
【００２６】
次に、サーバ１において、管理部３０１は、ｎ種類（ｎは１以上の整数値）の条件のうちのｍ種類（ｍはｎ以下の整数値）の条件に対応する婚前契約書のサンプルデータα又はサンプルデータαを作成するために必要なデータを、全通りの夫々について、サンプルデータＤＢ４０１に記憶させ管理する。
取得部３０２は、ユーザ端末２からの１種類以上の所定条件（第１ユーザ側所定条件Ａ及び第２ユーザ側所定条件Ｂ）を取得する。
生成部３０３は、管理部３０１の管理内容に基づいて、取得部３０２によって取得された１種類以上の所定条件（第１ユーザ側所定条件Ａ及び第２ユーザ側所定条件Ｂ）に対応する、婚前契約書のサンプルデータαを生成する。なお、サンプルデータαの生成手段は特に限定されない。ＡＩ（人工知能）、所定のアルゴリズムに基づく計算等を用いてサンプルデータαの生成することができる。
これにより、契約書作成について契約に慣れていない人でも、所定の条件をユーザ端末２に入力するだけで、複数当事者の所望の条件に基づいた公平な契約書を容易に作成することができる。
第２送信制御部３０４は、婚前契約書のサンプルデータαをユーザ端末２に送信する制御を実行する。
具体的には、例えば契約当事者となるユーザＵの一方が、所定条件として「不倫」というキーワードをユーザ端末２に入力（あるいは選択）し、当該所定条件をサーバ１に送信した場合、サーバ１は、サンプルデータＤＢ４０１から不倫に関係がある契約書の条文を抽出し、これをサンプルデータとしてユーザ端末２に送信する制御を実行する。
【００２７】
そして、ユーザ端末２において、受信制御部２０３は、サーバ１から送信された婚前契約書のサンプルデータαを受信する制御を実行する。
これにより、ユーザＵは、所定条件が条文に反映された契約書のサンプルを取得することができる。
保持制御部２０４は、婚前契約書のサンプルデータαを保持する制御を実行する。
なお、図１の情報処理システムＳのうちサーバ１及びユーザ端末２の機能的構成の一例を示す機能ブロック図における他の特徴としては、図３に示すとおりである。
【００２８】
次に、図４を参照して、図１の情報処理システムＳにより実現される各種サービスのうち、婚前契約書自動作成サービスについて説明する。
図４は、図１の情報処理システムＳにより実現される婚前契約書自動作成サービスの概要を示すイメージ図である。
【００２９】
婚前契約書自動作成サービスは、これから婚約をしようとする男女が、結婚前の段階で取り交わす婚前契約に係る契約書を自動で作成するサービスである。婚前契約書自動作成サービスでは、婚前契約書に盛り込まれる条項の内容に、これから婚約をしようとする男女夫々の自由な意思を反映させるべく、情報処理システムＳに以下のような処理を実行させる。
即ち、情報処理システムＳのうちユーザ端末２は、これから婚約をしようとする男女夫々に対する複数種類の質問を表示し、これら質問に対する回答を受付ける。具体的には、第１ユーザ端末２Ｍは、これから婚約をしようとする男女のうち男性（第１ユーザＵＭ）の操作に基づいて、男性側の条件（第１ユーザ側所定条件）として、質問に対する男性の回答を受付ける。また、第２ユーザ端末２Ｆは、女性（第２ユーザＵＦ）の操作に基づいて、女性側の条件（第２ユーザ側所定条件）として、質問に対する女性の回答を受付ける。
【００３０】
図４（Ａ）は、ユーザ端末２に表示される複数種類の質問の具体例を示す図である。
男性（第１ユーザＵＭ）又は女性（第２ユーザＵＦ）に対する質問は、ユーザ端末２の表示領域Ｈ１乃至Ｈ３に表示される。
表示領域Ｈ１には、男性（第１ユーザＵＭ）又は女性（第２ユーザＵＦ）の「氏名」及び「住所」を入力する欄が表示される。
表示領域Ｈ２には、男性（第１ユーザＵＭ）及び女性（第２ユーザＵＦ）に対する結婚に関する質問が表示される。具体的には例えば、「Ｑ１」として「夫婦間について共感できるものを選択してください」といったような質問が表示される。また、これに対して男性（第１ユーザＵＭ）及び女性（第２ユーザＵＦ）に回答させるために、例えば「相互に助け合い、感謝し合う関係」、「相互に貞操を守る関係」、「相互に努力を惜しまない関係」といった選択肢が表示される。これにより、男性（第１ユーザＵＭ）及び女性（第２ユーザＵＦ）の夫々の結婚に対する考え方を漏らさず婚前契約書に反映させることができる。また、男性（第１ユーザＵＭ）及び女性（第２ユーザＵＦ）の夫々の結婚に対する考え方のうち方向性が合致する部分（合意部分）を契約書に的確に反映させることが可能となる。
【００３１】
また、表示領域Ｈ２には、選択肢以外に男性（第１ユーザＵＭ）及び女性（第２ユーザＵＦ）が自由入力することができるフリーワード入力欄Ｆを設けてもよい。これにより、男性（第１ユーザＵＭ）と女性（第２ユーザＵＦ）との間の個別具体的な合意内容を婚前契約書に反映させることが可能となる。
【００３２】
また、各質問毎に、回答結果を婚前契約書に反映させる度合を「重要度」として任意に設定できるようにしてもよい。例えば表示領域Ｈ３に示すように、重要度を５段階（１乃至５）に分け、質問毎の重要度を男性（第１ユーザＵＭ）及び女性（第２ユーザＵＦ）に設定させるための重要度設定バーＩを設けてもよい。これにより、男性（第１ユーザＵＭ）及び女性（第２ユーザＵＦ）の夫々の結婚に対する考え方に応じて、婚前契約書に反映させるべき複数の項目の夫々に濃淡をつけることができる。このため、内容にメリハリがある婚前契約書を自動作成させることが可能となる。
このように、男性（第１ユーザＵＭ）及び女性（第２ユーザＵＦ）の夫々は、自身の結婚に対する考え方に基づいて、表示領域Ｈ１乃至Ｈ３に表示された各種入力欄に、各々の内容を入力する操作を行う。これにより、第１ユーザ端末２Ｍと第２ユーザ端末２Ｆとの夫々は、第１ユーザ側所定条件Ａと第２ユーザ側所定条件Ｂとの夫々を受付け、これら所定条件をサーバ１に送信する。
【００３３】
サーバ１は、第１ユーザ側所定条件Ａと第２ユーザ側所定条件Ｂとの夫々を受信すると、これら所定条件に対応する婚前契約書のサンプルデータを生成する。具体的には例えば、図４（Ｂ）に示すような婚前契約書のサンプルデータα１が生成される。
上述したように、婚前契約書のサンプルデータα１には、男性（第１ユーザＵＭ）及び女性（第２ユーザＵＦ）への質問に対する回答の内容が反映される。例えば図４（Ａ）の例では、「Ｑ２」として、「家事について共感できるものを選択してください」という質問があり、これに回答するための選択肢として、「夫婦平等とし、各自分担して行う」、「妻が主として行う」、「夫が主として行う」といった選択肢が表示されている。このとき、男性（第１ユーザＵＭ）及び女性（第２ユーザＵＦ）のいずれもが、これら選択肢のうち「夫婦平等とし、各自分担して行う」という選択肢を選択した場合を想定する。すると、サーバ１は、男性（第１ユーザＵＭ）及び女性（第２ユーザＵＦ）との間で、家事は「夫婦平等とし、各自分担して行う」という合意がなされたと判断し、この合意内容を婚前契約書のサンプルデータα１の条項に反映させる。具体的には、図４（Ｂ）の婚前契約書のサンプルデータα１に示すように、「第２条（家事分担）  家事は甲及び乙が平等に負担し、各自分担して行うものとする。」という条項が設けられる。
このように、男性（第１ユーザＵＭ）及び女性（第２ユーザＵＦ）の夫々は、婚前契約書自動作成サービスを利用することにより、簡単な質問に回答するだけで、両者の結婚に対する考え方の合意部分に沿った内容の婚前契約書を作成することができる。
【００３４】
以上、本発明の一実施形態について説明したが、本発明は、上述の実施形態に限定されるものではなく、本発明の目的を達成できる範囲での変形、改良等は本発明に含まれるものである。
【００３５】
例えば、ユーザ端末２において、受付部２０１は、ｎ種類の条件のうち所定条件を特定可能な特定情報を入力する操作に対して、当該所定条件として、当該特定情報を受付けることができる。そして、サーバ１は、当該特定情報に基づいて、ｎ種類の条件のうち所定条件を認識する認識手段をさらに備えることができる。
これにより、第１ユーザＵＭや第２ユーザＵＦにとっては、条件自体を知らなくても、所望の要望、例えば、「彼の浮気を防止したい」といった要望を入力するだけで、所定種類の契約のサンプル（例えば婚前契約書）のイメージを容易に把握して、契約内容をチェックすることができる。
【００３６】
また、サーバ１は、ユーザＵ夫々の所定条件に基づき、ユーザＵ夫々毎にサンプルデータを作成することができるようにしてもよい。即ち、ユーザＵ１人毎に当該ユーザＵの所定条件のみが反映されたサンプルデータを作成することができるようにすることにより、特定のユーザＵの考えや価値観が反映されたサンプルデータをマッチングデータとして利用することができる。
これにより、例えば結婚相談所における登録者情報として、表面的な情報（例えば性別、年齢、年収、趣味、職業、住所、親、兄弟、学歴等）に加えて、よりパーソナルな情報としてサンプルデータ（例えば結婚にあたって相手に望むもの等）を活用することができるので、従来より精度の高いマッチング結果を期待することができる。
【００３７】
また、本実施形態では、結婚前の男女間における婚前契約書の作成が例に挙げられているが、あらゆる場面における契約書の作成に本発明を適用することができる。具体的には例えば、金銭の貸し借りに関する契約書の作成や、業務上の請負契約等における契約書の作成に本発明を適用することができる。
【００３８】
以上まとめると、本発明が適用される情報処理システムは、次のような構成を取れば足り、各種各様な実施形態を取ることができる。
即ち、本発明が適用される情報処理システム（例えば図１の情報処理システムＳ）は、
所定種類の契約を取り交わす第１ユーザ（例えば図１の第１ユーザＵＭ）と第２ユーザ（例えば図１の第２ユーザＵＦ）とのうち、少なくとも一方が保有するユーザ端末（例えば図１の第１ユーザ端末２Ｍあるいは第２ユーザ端末２Ｆ）と、
前記ユーザ端末と通信をするサーバ（例えば図１のサーバ１）と、
を含む情報処理システムであって、
前記ユーザ端末は、
前記第１ユーザと前記第２ユーザのうち少なくとも一方の操作に基づいて、前記所定種類の契約（例えば婚前契約）をする際の所定条件（例えば図３の第１ユーザ側所定条件Ａ又は第２ユーザ側所定条件Ｂ）を受付ける受付手段（例えば図３の受付部２０１）と、
１種類以上の前記所定条件を前記サーバに送信する制御を実行する第１送信制御手段（例えば図３の第１送信制御部２０２）と、
を備え、
前記サーバは、
ｎ種類（ｎは１以上の整数値）の条件のうちのｍ種類（ｍはｎ以下の整数値）の条件に対応する前記所定種類の契約のサンプルデータ（例えば婚前契約書のサンプルデータ）又は当該サンプルデータを作成するために必要なデータを、全通りの夫々について管理する管理手段（例えば図３の管理部３０１）と、
前記ユーザ端末からの前記１種類以上の所定条件を取得する取得手段（例えば図３の取得部３０２）と、
前記管理手段の管理内容に基づいて、取得された前記１種類以上の所定条件に対応する、前記所定種類の契約のサンプルデータを生成する生成手段（例えば図３の生成部３０３）と、
前記所定種類の契約のサンプルデータを前記端末に送信する制御を実行する第２送信制御手段（例えば図３の第２送信制御部３０４）と、
を備え、
前記ユーザ端末は、さらに、
前記サーバから送信された前記所定種類の契約のサンプルデータを受信する制御を実行する受信制御手段（例えば図３の受信制御部２０３）と、
前記所定種類の契約のサンプルデータを保持する制御を実行する保持制御手段（例えば図３の保持制御部２０４）と、
を備える。
これにより、契約書を取り交わすことが一般的でない分野においても、契約に慣れていない人でも容易に契約内容を想像でき、容易に契約書を作成することができ、かつ、当該契約書には契約当事者の所望の条件を最大限反映させ、契約当事者間の公平を確保できるシステムを提供することができる。
【００３９】
また、前記ユーザ端末の受付手段は、
前記ｎ種類の条件のうち所定条件を特定可能な特定情報を入力する操作に対して、
当該所定条件として、前記特定情報を受付け、
前記サーバは、
前記特定情報に基づいて、前記ｎ種類の条件のうち前記所定条件を認識する認識手段をさらに備えることができる。
【００４０】
なお、本明細書において、記録媒体に記録されるプログラムを記述するステップは、その順序に添って時系列的に行われる処理はもちろん、必ずしも時系列的に処理されなくとも、並列的或いは個別に実行される処理をも含むものである。
【００４１】
また、本明細書において、システムの用語は、複数の装置や複数の手段等より構成される全体的な装置を意味するものである。
【符号の説明】
【００４２】
１・・・  サーバ
２・・・  ユーザ端末
２Ｍ・・・  第１ユーザ端末
２Ｆ・・・  第２ユーザ端末
１０１・・・  ＣＰＵ
１０２・・・  ＲＯＭ
１０３・・・  ＲＡＭ
１０４・・・  バス
１０５・・・  入出力インターフェース
１０６・・・  出力部
１０７・・・  入力部
１０８・・・  記憶部
１０９・・・  通信部
１１０・・・  ドライブ
１２０・・・  リムーバブルメディア
２０１・・・  受付部
２０２・・・  第１送信制御部
２０３・・・  受信制御部
２０４・・・  保持制御部
３０１・・・  管理部
３０２・・・  取得部
３０３・・・  生成部
３０４・・・  第２送信制御部
４０１・・・  サンプルデータＤＢ
Ｎ・・・  ネットワーク
Ｓ・・・  情報処理システム
Ｕ・・・  ユーザ
ＵＭ・・・  第１ユーザ
ＵＦ・・・  第２ユーザ
α１・・・  婚前契約書のサンプルデータ
Ｆ・・・フリーワード入力欄
Ｉ・・・重要度設定バー
Ｈ１，Ｈ２，Ｈ３・・・  表示領域
【図１】
2018022481.tif 000003
【図２】
2018022481.tif 000004
【図３】
2018022481.tif 000005
【図４】
2018022481.tif 000006